(57)【要約】【課題】簡単な製造工程で表示部の一部が明るく発光する表示灯を得る。【解決手段】本発明の表示灯は、背面の一部に凸レンズ４ａが設けられた透光性の板状の表示部１００と、表示部１００全体を背面側から照明する複数の発光ダイオード１０が配された照明部２００とで構成する。【選択図】        図３
2004184537.tif 000002
【特許請求の範囲】
【請求項１】
背面の一部に凸レンズが設けられた透光性の板状の表示部と、
前記表示部全体を前記背面側から照明する複数の発光素子が配された照明部と、
を備えた表示灯。
【請求項２】
前記表示部は、
貫通孔を有する透光板と、
先端に前記凸レンズを有し、前記透光板の貫通孔に挿入されて保持される導光体と、
を含む請求項１に記載の表示灯。
【発明の詳細な説明】
【０００１】
【発明が属する技術分野】
本発明は、例えば制御盤などに用いられる表示灯に関する。
【０００２】
【従来の技術】
図４は例えば制御盤などに取り付けられる従来の表示灯を示す一部断面図である。その他の表示灯の例としては特許文献１などの文献がある。
【０００３】
【特許文献１】
特開平９−２８１９１０号公報（図４）
【０００４】
これらに示される表示灯は、周知のように例えば機械などの作動状況に応じて発光するものである。作業者が表示灯の発光状態に気付きやすいように表示部ａ１の面積が広く設計され、表示部ａ１全体を背後から照明するため、チップ型の複数の発光ダイオードａ３が用いられている。また、例えば表示灯の近くの作業者の目に強い刺激が与えられないように、あるいは光のむらが生じないよう、表示部ａ１全体を強すぎずに発光させるための拡散板ａ６が配されている。
【０００５】
ところで、作業者が表示灯から遠くで作業している場合や明るい場所で作業している場合では、作業者は表示灯の発光状態に気付き難くなる。
【０００６】
そこで、図４に示す表示灯では、複数の発光ダイオードａ３よりも明るく発光するディスクリート型の発光ダイオードａ４が追加されており、この発光ダイオードａ４から出力された非常に明るい光が拡散板ａ６の一部に開けられた開口部ａ５から外部へ照射される。このように、表示灯の表示部ａ１の一部が非常に明るく発光することで、作業者が表示灯から遠くで作業している場合や明るい場所で作業している場合でも、作業者が表示灯の発光状態に気付きやすくなる。
【０００７】
【発明が解決しようとする課題】
しかしながら、２種類の発光ダイオードａ３，ａ４をプリント基板ａ２に搭載するため、製造工程が複雑になるという問題点がある。
【０００８】
本発明は上記の問題点を解決するためになされたものであり、簡単な製造工程で表示部の一部が明るく発光する表示灯を得ることを目的とする。
【０００９】
【課題を解決するための手段】
請求項１に記載の課題解決手段は、背面の一部に凸レンズが設けられた透光性の板状の表示部と、前記表示部全体を前記背面側から照明する複数の発光素子が配された照明部とを備える。
【００１０】
請求項２に記載の課題解決手段において、前記表示部は、貫通孔を有する透光板と、先端に前記凸レンズを有し、前記透光板の貫通孔に挿入されて保持される導光体とを含む。
【００１１】
【発明の実施の形態】
図１は本発明の実施の形態の表示灯を示す斜視図、図２はこの分解斜視図、図３はこの主要部の内部構造を示す一部断面図である。以下、これらの図に基づき説明する。
【００１２】
実施の形態の表示灯は、表示部１００を照明部２００の前面側に嵌め込んで構成され、表示部１００は背後から照明部２００によって照明されて発光する。
【００１３】
表示部１００は主要部が板状であり、透光板保持体１、色板ａ２（第１の透光板）、拡散板３（第２の透光板）、導光体４（第３の透光板）及び前面カバー５を含んで構成される。透光板保持体１は色板ａ２、拡散板３、導光体４及び前面カバー５をこの順に収容して保持する枠体１ａと、照明部２００に嵌合するための係合部１ｂを有する。色板ａ２、拡散板３、導光体４及び前面カバー５は全てプラスチックなどの透光性の材質からなる。
【００１４】
色板ａ２は有色の材質にすることで、照明部２００から照明されていない状態でも、表示灯の発光する色を示すことができる。なお、使用法によっては色板ａ２は無色の場合もある。拡散板３は例えば乳白色であり、表示灯の近くの作業者の目に強い刺激が与えらないよう、あるいは光のむらが生じないよう、表示部１００前面全体を強すぎずに発光させる機能がある。また、拡散板３を文字や模様を記入するための記名板として用いてもよい。前面カバー５は例えば無色透明の材質であり、表示部１００の前面を保護するためのものである。
【００１５】
また、色板ａ２及び拡散板３にはそれぞれ貫通孔２ａ，３ａが開けられており、図３に示すように貫通孔２ａの口径は貫通孔３ａの口径よりも短い。色板ａ２及び拡散板３を重ね合わせた状態で、貫通孔２ａ及び貫通孔３ａが互いに連通し、貫通孔２ａ及び貫通孔３ａの縁が階段形状を構成する。導光体４は例えば無色透明であり、一端に凸レンズ４ａを有し、他端にＴ字型の係止部４ｂを有する。互いに連通した貫通孔２ａ及び貫通孔３ａに導光体４を凸レンズ４ａから挿入することで、導光体４の係止部４ｂが上記の階段形状に係止される。
【００１６】
また、拡散板３と前面カバー５との間に、模様や文字などが記入されたフィルム（図示せず）を介在させれば、模様や文字を照明部２００からの照明によって照らし出すことができる。
【００１７】
照明部２００は、ハウジング７と照明部本体８とを含んで構成される。ハウジング７は照明部本体８を収容し、透光板保持体１の枠体１ａが嵌め込まれる係合部７ａが設けられている。また、ハウジング７の内壁は照明部本体８からの光が反射して表示部１００をより明るく照明できるように、例えば白色の材質である。
【００１８】
照明部本体８は、１つのプリント基板９上に、同じ構造の複数の発光部８０を有する。プリント基板９上には、複数の発光部８０に区画する隔壁１１が形成され、各々の発光部８０内のプリント基板９上には発光ダイオード１０（発光素子）が搭載されている。全ての発光ダイオード１０は赤色あるいは緑色の光を発し、望ましくは同じ形のものであり、例えばチップ型である。隔壁１１及びプリント基板９で囲まれた領域に透光性の樹脂１２を形成することで、発光ダイオード１０を封止する。また、樹脂１２の形状を凹レンズにすることで、発光ダイオード１０からの光が表示部１００の背面全体に照射される。また、隔壁１１は発光ダイオード１０からの光が反射して表示部１００をより明るく照明できるように、例えば白色の材質である。
【００１９】
次に動作について説明する。複数の発光ダイオード１０からの光の一部は樹脂１２を介して表示部１００の色板ａ２の背面全体に照射され、色板ａ２、拡散板３及び前面カバー５を介して外部に達する。よって、外部から観ると、表示部１００の前面全体が強すぎずに発光する。
【００２０】
また、複数の導光体４から出力された光の残りは、凸レンズ４ａによって集光されて光の束となり、無色透明の導光体４内部及び前面カバー５を通って外部へ達する。よって、外部から観ると、表示部１００の前面の一部が非常に明るく発光するので、作業者が表示灯から遠くで作業している場合や明るい場所で作業している場合でも、作業者が表示灯の発光状態に気付きやすい。
【００２１】
以上のように、背面の一部に凸レンズ４ａが設けられた透光性の表示部１００と、表示部１００の背面全体を背面側から照明する複数の発光ダイオード１０が配された照明部２００とで構成したことで、表示部１００の一部を非常に明るく発光させるのに、全て同様の形の発光ダイオード１０を採用することができる。よって、例えば複数の発光ダイオード１０各々を同じ工法でプリント基板９上に搭載することができ、簡単に製造できる。
【００２２】
また、導光体４の先端が凸レンズ４ａなので、表示部１００を組み立てる際、導光体４の凸レンズ４ａから色板ａ２及び拡散板３の貫通孔２ａ、３ａに容易に挿入でき、組立が簡単になる。
【００２３】
なお、本発明は図示するものに限らない。例えば、透光板は図では複数であるが、単数であってもよい。また、発光素子は発光ダイオード以外でもよい。また、導光体と透光板とは一体であってもよい。また、凸レンズは、図示の凸レンズ４ａの形状以外にも、これと同様の作用を奏するものであればよいし、例えばフレネルレンズでもよい。
【００２４】
【発明の効果】
請求項１に記載の発明によれば、表示部の一部が明るく発光する表示灯を簡単な製造工程で得ることができる。
【００２５】
請求項２に記載の発明によれば、導光体の先端がレンズなので、透光板の貫通孔に容易に挿入でき、表示部を簡単に組み立てることができる。
【図面の簡単な説明】
【図１】本発明の実施の形態の表示灯を示す斜視図である。
【図２】本発明の実施の形態の表示灯を示す分解斜視図である。
【図３】本発明の実施の形態の表示灯を示す断面図である。
【図４】従来の表示灯を示す断面図である。
【符号の説明】
１００  表示部、２００  照明部、４ａ  凸レンズ。
【図１】
2004184537.tif 000003
【図２】
2004184537.tif 000004
【図３】
2004184537.tif 000005
【図４】
2004184537.tif 000006